(57)【要約】【課題】本発明は、表示可能なディスプレイを有効に用いるとともに視認性の低下を防ぐことが可能なマルチディスプレイシステムを提供することを目的とする。【解決手段】本発明によるマルチディスプレイシステムは、複数のディスプレイ１〜４を格子状に配置したマルチディスプレイ表示装置５と、外部から入力された入力信号１７を拡大縮小しあるいはしないで合成した複数の出力信号をマルチディスプレイ表示装置５の各ディスプレイ１〜４に出力するマルチディスプレイ表示計算機１６と、マルチディスプレイ表示装置５の各ディスプレイ１〜４の状態を監視して故障を検出する故障検知手段１２とを備え、マルチディスプレイ表示計算機１６は、故障検知手段１２による故障の検知に基づいて、故障したディスプレイに対して出力する出力信号を全て表示状態に維持される故障していない他のディスプレイに拡大縮小しあるいはしないで合成して出力することを特徴とする。【選択図】図１
2013003420.tif 000002
【特許請求の範囲】
【請求項１】
複数のディスプレイを格子状に配置したディスプレイ群と、
外部から入力された複数の映像信号を拡大縮小しあるいはしないで合成した複数の映像出力信号を前記ディスプレイ群の各前記ディスプレイに出力するマルチディスプレイ表示計算機と、
前記ディスプレイ群の各前記ディスプレイの状態を監視して故障を検出する故障検知手段と、
を備え、
前記マルチディスプレイ表示計算機は、前記故障検知手段による故障の検知に基づいて、故障した前記ディスプレイに対して出力する前記映像出力信号を、全て表示状態に維持される故障していない他の前記ディスプレイに拡大縮小しあるいはしないで合成して出力することを特徴とする、マルチディスプレイシステム。
【請求項２】
前記マルチディスプレイ表示計算機は、前記ディスプレイ群の全体に渡って表示する映像信号であるベース映像信号を生成し、当該ベース映像信号と前記映像出力信号とを重ね合わせて前記ディスプレイ群の各前記ディスプレイに出力することを特徴とする、請求項１に記載のマルチディスプレイシステム。
【請求項３】
故障した前記ディスプレイに対して出力すべき前記映像出力信号を、前記外部から入力される映像信号と同じに扱い処理することを特徴とする、請求項１または２に記載のマルチディスプレイシステム。
【発明の詳細な説明】
【技術分野】
【０００１】
本発明は、複数のディスプレイを配置して１つの表示画面を構成するマルチディスプレイシステムに関する。
【背景技術】
【０００２】
従来、複数のディスプレイを格子状に配置して１つの表示画面を構成するマルチディスプレイシステムは、複数の入力映像を拡大・縮小して合成したものを表示画面に表示する。マルチディスプレイシステムは、電力、交通、プラントなどのインフラ分野の監視制御システムに広く用いられている。インフラ分野の監視制御システムでは、監視する映像の一時の停滞も許されず、常に監視する映像を表示することができる信頼性の高いシステムが求められている。従って、監視制御システムには、マルチディスプレイを構成するディスプレイの故障を検知する機能などを備えるものがある。
【０００３】
マルチディスプレイを構成するディスプレイの故障を検知する機能としては、Ethernet（登録商標）などの汎用通信インターフェースを用いて、各ディスプレイと、当該各ディスプレイに表示する映像を生成する機器との間で通信を行って故障の検知を行うものがある。このような機能を用いてディスプレイの故障や通信の異常状態を検知することによって、ディスプレイが故障した際には、故障したディスプレイに表示されるべき映像が失われないように縮退運転するなどして対応している。
【０００４】
例えば、マルチディスプレイを構成する任意のディスプレイが故障した際に、当該故障したディスプレイを含む縦あるいは横の列のディスプレイを非表示とし、本来表示しようとしていた全ディスプレイ分の大きさの映像（マルチディスプレイの全体に渡って表示する映像）を、故障ディスプレイおよび非表示としたディスプレイ以外のディスプレイの全体に渡って表示するよう縮小して表示（縮退表示）するものがある（例えば、特許文献１参照）。
【先行技術文献】
【特許文献】
【０００５】
【特許文献１】特開２０００−８９７３８号公報
【発明の概要】
【発明が解決しようとする課題】
【０００６】
特許文献１では、ディスプレイが故障した際に、故障していないディスプレイを非表示にしているため、表示可能なディスプレイ数が減少する。また、表示可能なディスプレイには圧縮した映像が表示されるため、視認性が低下するという問題がある。
【０００７】
本発明は、これらの問題を解決するためになされたものであり、表示可能なディスプレイを有効に用いるとともに視認性の低下を防ぐことが可能なマルチディスプレイシステムを提供することを目的とする。
【課題を解決するための手段】
【０００８】
上記の課題を解決するために、本発明によるマルチディスプレイシステムは、複数のディスプレイを格子状に配置したディスプレイ群と、外部から入力された複数の映像信号を拡大縮小しあるいはしないで合成した複数の映像出力信号をディスプレイ群の各ディスプレイに出力するマルチディスプレイ表示計算機と、ディスプレイ群の各ディスプレイの状態を監視して故障を検出する故障検知手段とを備え、マルチディスプレイ表示計算機は、故障検知手段による故障の検知に基づいて、故障したディスプレイに対して出力する映像出力信号を、全て表示状態に維持される故障していない他のディスプレイに拡大縮小しあるいはしないで合成して出力することを特徴とする。
【発明の効果】
【０００９】
本発明によると、複数のディスプレイを格子状に配置したディスプレイ群と、外部から入力された複数の映像信号を拡大縮小しあるいはしないで合成した複数の映像出力信号をディスプレイ群の各ディスプレイに出力するマルチディスプレイ表示計算機と、ディスプレイ群の各ディスプレイの状態を監視して故障を検出する故障検知手段とを備え、マルチディスプレイ表示計算機は、故障検知手段による故障の検知に基づいて、故障したディスプレイに対して出力する映像出力信号を、全て表示状態に維持される故障していない他のディスプレイに拡大縮小しあるいはしないで合成して出力することを特徴とするため、表示可能なディスプレイを有効に用いるとともに視認性の低下を防ぐことが可能となる。
【図面の簡単な説明】
【００１０】
【図１】本発明の実施形態によるマルチディスプレイシステムの構成を示す図である。
【図２】本発明の実施形態によるディスプレイ配置情報管理手段で管理されているディスプレイ配置情報テーブルの一例を示す図である。
【図３】本発明の実施形態によるマルチディスプレイ表示装置を構成する任意のディスプレイが故障した状態を示す図である。
【図４】本発明の実施形態による故障時におけるマルチディスプレイ表示装置の表示状態を示す図である。
【図５】本発明の実施形態によるマルチディスプレイ表示計算機の動作処理の一例を示す図である。
【図６】本発明の実施形態による故障時におけるマルチディスプレイ表示計算機の動作処理の一例を示す図である。
【図７】本発明の実施形態によるマルチディスプレイシステムの動作を示すフローチャートである。
【発明を実施するための形態】
【００１１】
本発明の実施形態について、図面に基づいて以下に説明する。
【００１２】
〈実施形態〉
図１は、本実施形態によるマルチディスプレイシステムの構成を示す図である。図１に示すように、マルチディスプレイシステムは、複数のディスプレイ１〜４を格子状に配置したマルチディスプレイ表示装置５（ディスプレイ群）と、外部から入力された複数の入力信号１７（映像信号）を拡大縮小しあるいはしないで合成した複数の出力信号（映像出力信号）をマルチディスプレイ表示装置５の各ディスプレイ１〜４に出力するマルチディスプレイ表示計算機１６とを備えている。ディスプレイ１〜４は、例えば水平１９２０画素、垂直１２００ラインの解像度を有し、マルチディスプレイ表示装置５の全体（３８４０画素×２４００画素）を１つのディスプレイのように表示する。また、ディスプレイ１〜４のそれぞれは、例えばＤＶＩ（Digital Visual Interface）ケーブルによって接続するＤＶＩポートのような映像受信部を備えており、マルチディスプレイ表示装置５の画面上にウインドウ６〜９など複数の入力映像を含んだ映像を表示することができる。
【００１３】
マルチディスプレイ表示装置５は、マルチディスプレイ表示計算機１６にて生成された映像を、例えばＤＶＩケーブルなどを介して受信し、光源としてランプやＬＥＤ（Light Emitting Diode）を用いたＤＬＰ（Digital Light Processing）（登録商標）プロジェクタ方式や、液晶方式で表示している。
【００１４】
マルチディスプレイ表示計算機１６は、図１に示すように、例えばEthernetスイッチなどのスイッチ１０、通信手段１１、故障検知手段１２、ディスプレイ配置情報手段１３、故障ディスプレイ判定手段１４、および映像配置手段１５を備えている。また、マルチディスプレイ表示計算機１６は、複数の映像出力端子を有し、当該複数の映像出力端子を介してディスプレイ１〜４と接続されるマルチグラフィックカードを備えている。マルチグラフィックカードを用いることによって、ディスプレイ１〜４が一体となって１つのデスクトップとして見えるような映像を各ディスプレイ１〜４に送信することができる。なお、マルチグラフィックカードは、マルチディスプレイ表示計算機１６の映像配置手段１５に備えられている。
【００１５】
映像配置手段１５は、マルチディスプレイ表示装置５を構成するディスプレイ１〜４の全体に渡って表示する１つのベースとなるベース映像（ベース映像信号）を生成し、外部から入力された入力信号１７に基づいて生成された各ディスプレイ１〜４に出力される映像信号をベース映像上に重ね合わせてマルチディスプレイ表示装置５に表示させることができる。すなわち、マルチディスプレイ表示計算機１６は、マルチディスプレイ表示装置５（ディスプレイ群）の全体に渡って表示するベース映像の信号（ベース映像信号）を生成し、当該ベース映像の信号と各ディスプレイ１〜４に出力される映像信号（映像出力信号）とを重ね合わせてマルチディスプレイ表示装置５の各ディスプレイ１〜４に出力する。
【００１６】
なお、マルチディスプレイ表示計算機１６は、Microsoft社のWindows（登録商標）オペレーティングシステムや、Linux（登録商標）オペレーティングシステムによって操作されるパソコンである。
【００１７】
また、マルチディスプレイ表示計算機１６は、例えばEthernetインターフェースのような通信手段１１を備え、スイッチ１０を介してマルチディスプレイ表示装置５と相互に接続されており、マルチディスプレイ表示装置５から、各ディスプレイ１〜４が映像表示可能であるか否かの情報や、マルチディスプレイ表示計算機１６とマルチディスプレイ表示装置５との間で通信が正常に行われているか否かの情報を取得する。一方、マルチディスプレイ表示装置５は、マルチディスプレイ表示計算機１６から制御情報を取得する。
【００１８】
このように、マルチディスプレイ表示計算機１６では、マルチディスプレイ表示装置５から取得した情報に基づいて、故障検知手段１２が各ディスプレイ１〜４の状態を監視（すなわち、マルチディスプレイ表示装置５の各ディスプレイ１〜４の故障の判断や、各ディスプレイ１〜４との通信状態を監視）することによって、各ディスプレイ１〜４が映像表示可能であるか否かの判断を行う。また、マルチディスプレイ表示計算機１６では、ディスプレイ配置情報管理手段１３から、映像がどのように構成されているのか（映像が各ディスプレイ１〜４のいずれの箇所で表示されているのか）といった情報を取得し、故障ディスプレイ判定手段１４にて故障によって表示されていない映像部分を特定する。
【００１９】
図２は、本実施形態によるディスプレイ配置情報管理手段１３で管理されているディスプレイ配置情報テーブルの一例を示す図である。図２に示すように、ディスプレイ配置情報テーブルは、各ディスプレイ１〜４がマルチディスプレイ表示装置５内でどのようなオフセット（画素を単位とした基準点からの座標値）、サイズ、ＩＰアドレスなどを示している。具体的には、各ディスプレイ１〜４に割り当てられたディスプレイ番号、ＩＰアドレス、図１に示すマルチディスプレイ表示装置５の紙面左上を（０，０）とし画素を単位としたときのオフセットおよびディスプレイサイズである。
【００２０】
また、図２では、マルチディスプレイ配置情報管理手段１３が管理するディスプレイ配置情報テーブルについて例示しているが、マルチディスプレイ配置情報管理手段１３は、マルチディスプレイ表示装置５における各ディスプレイ１〜４に表示されている複数のウインドウについての情報、すなわち、ウインドウ識別子、ウインドウ位置、ウインドウサイズを含むウインドウ情報を管理し、ウインドウの位置、大きさ、ウインドウの表示・非表示を監視して、各ウインドウ１〜４がマルチディスプレイ表示装置５の画面上のいずれの位置に配置（表示）されているかといったウインドウ情報を管理し、当該ウインドウ情報を生成、更新、消去している。
【００２１】
図３は、本実施形態によるマルチディスプレイ表示装置５に含まれるディスプレイ１〜４のうちの１つが故障した状態を示す図であり、図３ではディスプレイ４が故障した場合におけるマルチディスプレイ表示装置５の状態を示している。
【００２２】
ディスプレイ４が故障すると、故障検知手段１２は、スイッチ１０および通信手段１１を介してディスプレイ４が映像表示不能な状態であることを検知する。ここで、故障検知手段１２がディスプレイ４を映像表示不能であると判断する情報は２つある。すなわち、ディスプレイ４とマルチディスプレイ表示計算機１６との通信が正常でないという情報、あるいは、ディスプレイ４が映像表示不能な故障状態であるという情報である。故障検知手段１２は、上記２つの情報をディスプレイ４から取得し、当該情報に基づいてディスプレイ４が映像表示不能な状態であることを検知する。
【００２３】
図４は、本実施形態による故障時におけるマルチディスプレイ表示装置の表示状態を示す図であり、図４ではディスプレイ４が故障した場合におけるマルチディスプレイ表示装置５の表示状態を示している。
【００２４】
ディスプレイ４は、故障により表示すべき映像を表示することができない状態である。図４に示すように、ウインドウ８およびウインドウ９のうちのディスプレイ４に表示される部分の映像や、ベース映像のうちのディスプレイ４の部分の映像が表示することができない映像となる。本実施形態では、当該表示することができない映像を新規のウインドウ１８として、映像表示可能な他のディスプレイのいずれかに表示する。新規のウインドウ１８の画面サイズは、故障が起こる前に予め任意のサイズに設定しておくことができる。
【００２５】
次に、図４に示すウインドウ１８が表示される位置の決定方法について説明する。マルチディスプレイ表示計算機１６は、ディスプレイ４が映像を表示することができない状態であると判断するとウインドウ１８を作成する。作成されたウインドウ１８は、映像表示可能な他のディスプレイに表示される。このとき、映像配置手段１５は、予め設定しておいたウインドウ１８の画面サイズと、故障していない他のディスプレイの表示スペースとを考慮してウインドウ１８をマルチディスプレイ表示装置５の画面上に配置する。本実施形態では、ウインドウ１８の画面サイズを（３２０，２５０）とする。図４に示すように、ディスプレイ４が故障した場合のマルチディスプレイ表示装置５における映像表示可能な領域は、（０，０）（３８４０，０）（０，１２００）（３８４０，１２００）の４点を結ぶ範囲（すなわち、ディスプレイ１，３の表示領域）と、（０，１２００）（１９２０，１２００）（０，２４００）（１９２０，２４００）の４点を結ぶ範囲（すなわち、ディスプレイ２の表示領域）である。ウインドウ１８のオフセットを上記の映像表示可能な領域の範囲内に（１００，１８００）と設定した場合、当該オフセットを基準としてサイズを加算した位置（４２０，２０５０）が上記の映像表示可能な領域の範囲内に入ることを確認してから表示する。ウインドウ１８がマルチディスプレイ表示装置５のいずれかのディスプレイに表示されると、使用者は、マウスやキーボード等を用いてウインドウ１８をマルチディスプレイ表示装置５の任意の表示位置に移動させることができる。
【００２６】
図５は、本実施形態によるマルチディスプレイ表示計算機１６の動作処理の一例を示す図である。図５に示すように、マルチディスプレイ表示計算機１６には、入力信号６〜９（図１の入力信号１７に対応）が入力されている。マルチディスプレイ表示計算機１６に備えられている映像配置手段１５は、入力信号６〜９を拡大縮小しあるいはしないで合成した映像を、各ディスプレイ１〜４に表示すべき映像となるように分配し出力信号１〜４としてマルチディスプレイ表示装置５に送信する。なお、図５において、入力信号６〜９（外部から入力された複数の映像信号）の各信号はマルチディスプレイ表示装置５に表示される各ウインドウ６〜９に表示される映像信号であり、出力信号１〜４（映像出力信号）の各信号は各ディスプレイ１〜４に出力される信号を示している。
【００２７】
図６は、本実施形態による故障時におけるマルチディスプレイ表示計算機１６の動作処理の一例を示す図である。図５では、入力信号に基づいて作成された映像信号をそのまま各ディスプレイ１〜４に送信していた。しかし、図６に示すように、映像信号を各ディスプレイ１〜４に送信する前に、映像表示不能であると判断された（ディスプレイが故障されていると判断された）ディスプレイに送信されるべき出力信号を入力信号として扱い、映像表示可能な他のディスプレイに送信する映像信号に追加して出力信号１ａ〜３ａとして送信する。すなわち、マルチディスプレイ表示計算機１６は、故障したディスプレイに対して出力すべき映像出力信号を、外部から入力される映像信号と同じ扱い処理する。
【００２８】
図７は、本実施形態によるマルチディスプレイシステムの動作を示すフローチャートである。図７では、マルチディスプレイ表示装置５を構成する任意のディスプレイが映像表示不能（故障）であると判断された場合において、本来故障したディスプレイに表示されるべき映像を新しいウインドウとして他の映像表示可能なディスプレイ上に表示する手順について示している。なお、ここでは、ディスプレイ４が故障した場合について説明する。
【００２９】
図７に示すように、マルチディスプレイ表示計算機１６は、入力信号６〜９（図５参照）を受信する（ステップＳ７０１）。ステップＳ７０１の後、受信した入力信号６〜９の各々を各ウインドウ６〜９に割り当てる（ステップＳ７０２）。ステップＳ７０２の後、各ウインドウ６〜９に割り当てられた入力信号６〜９に基づいて、各ウインドウ６〜９に対応する映像を作成する（ステップＳ７０３）。すなわち、マルチディスプレイ表示装置５に表示される映像を１つのデスクトップ映像とみなし、当該デスクトップ映像上にWindowsのエクスプローラウインドウを複数開いて配置するように、ステップＳ７０２にて割り当てられた入力信号６〜９を拡大縮小しあるいはしないで合成した１つの映像（デスクトップ上に表示されたウインドウ６〜９を含む１つの映像）を作成する。ステップＳ７０３にて作成された映像を、各ディスプレイ１〜４に対応するように配分する。当該配分された映像信号は、出力信号１〜４に対応している（ステップＳ７０４）。
【００３０】
ステップＳ７０４の後、マルチディスプレイ表示装置５を構成するディスプレイ１〜４のうち、映像表示不能なディスプレイがあるか否かを判断する（ステップＳ７０５）。ステップＳ７０５にて任意のディスプレイが映像表示不能（故障）であると判断されると、ディスプレイ配置情報管理手段１３からディスプレイ４に出力される出力信号４の配置情報（映像の配置情報）を取得し出力信号４の映像構成（ディスプレイ４に表示される映像の構成）を把握する。そして、上記出力信号４を入力信号１８とみなし（図６参照）、当該入力信号１８を１つのウインドウ１８（図４参照）に割り当てる（ステップＳ７０６）。ステップＳ７０６の後、各ウインドウ６〜９，１８に割り当てられた入力信号６〜９，１８に基づいて、各ウインドウ６〜９，１８に対応する映像を作成する（ステップＳ７０７）。ステップＳ７０７にて作成された映像を、映像表示可能な各ディスプレイ１〜３に対応するように配分する。当該配分された映像信号は、出力信号１ａ〜３ａに対応している（ステップＳ７０８）。ステップＳ７０９にて配分された出力信号１ａ〜３ａを各ディスプレイ１〜３に出力する。あるいは、ステップＳ７０５にて故障したディスプレイはないと判断された場合は、ステップＳ７０４にて配分された出力信号１〜４を各ディスプレイ１〜４に出力する（ステップＳ７０９）。このように、マルチディスプレイ表示計算機１６は、故障検知手段１２による故障の検知に基づいて、故障したディスプレイに対して出力する出力信号（映像出力信号）を、全て表示状態に維持される故障していない他のディスプレイに拡大縮小しあるいはしないで合成して出力する。
【００３１】
以上のことから、本実施形態によるマルチディスプレイシステムによれば、マルチディスプレイ表示装置５を構成する任意のディスプレイが映像表示不能（故障）であると判断されると、映像表示不能なディスプレイで表示されるべき映像を新たなウインドウとして他の表示可能なディスプレイに表示させることを可能としているため、従来のように表示可能なディスプレイを非表示にすることなく、故障前にマルチディスプレイ表示装置５に表示していた全ての映像を故障後も表示させることができる。すなわち、表示可能なディスプレイを有効に用いるとともに視認性の低下を防ぐことが可能となる。
【００３２】
なお、本実施形態では、汎用通信インターフェースとしてEthernetとして説明したが、RS-232Cであっても適用可能である。
【符号の説明】
【００３３】
１〜４  ディスプレイ、５  マルチディスプレイ表示装置、６〜９  ウインドウ、１０  スイッチ、１１  通信手段、１２  故障検知手段、１３  ディスプレイ配置情報管理手段、１４  故障ディスプレイ判定手段、１５  映像配置手段、１６  マルチディスプレイ表示計算機、１７  入力信号、１８  ウインドウ。
【図１】
2013003420.tif 000003
【図２】
2013003420.tif 000004
【図３】
2013003420.tif 000005
【図４】
2013003420.tif 000006
【図５】
2013003420.tif 000007
【図６】
2013003420.tif 000008
【図７】
2013003420.tif 000009